(57)【要約】【課題】  タッチパネルへの入力操作に何ら影響を与えず、青色光を減衰させるための部位が外れたり剥がれたりすることがなく、かつ、既存の透明なタッチパネルを用いる場合であっても青色光の透過量を減衰させることが可能なタッチパネル付き表示装置を得ること。【解決手段】  表示装置１の表示部１１ａとタッチパネル３との間に、青色光の透過量を減衰させるための青色光減衰層２を備え、この青色光減衰層２によって表示部１１ａを覆ってタッチパネル付き表示装置１０を構成した。【選択図】図１
2014219647.tif 000002
【特許請求の範囲】
【請求項１】
白色発光ダイオードをバックライトの光源とする表示装置と、
表示装置の表示部に対向して配置され、操作入力面に接触または近接する、一つまたは複数の操作体の位置を特定するためのタッチパネルと、
が積層されているタッチパネル付き表示装置において、
表示装置とタッチパネルとの間に、青色光の透過量を減衰させるための青色光減衰層を備えており、この青色光減衰層が表示部を覆っていることを特徴とするタッチパネル付き表示装置。
【請求項２】
青色光減衰層が青色光の透過量を減衰させる特性を有する青色光減衰フィルムであることを特徴とする請求項１記載のタッチパネル付き表示装置。
【請求項３】
青色光減衰層が青色光の透過量を減衰させる特性を有する青色光減衰光学接着層であって、この青色光減衰光学接着層によって、表示部とタッチパネルとが貼り合わせて積層されていることを特徴とする請求項１記載のタッチパネル付き表示装置。
【請求項４】
請求項１ないし３のいずれか１項に記載のタッチパネル付き表示装置を備える電子機器。
【発明の詳細な説明】
【技術分野】
【０００１】  本発明は、タッチパネル付き表示装置、ならびに、タッチパネル付き表示装置を備える各種電子機器に関するものである。
【背景技術】
【０００２】  昨今、スマートフォンやタブレット端末、あるいは、タッチパネル機能を備えるパーソナルコンピュータ用ディスプレイ装置など、主に液晶ディスプレイからなる表示装置の前面にタッチパネルを積層してなるタッチパネル付き表示装置を備える電子機器の普及が急速に進んでいる。【０００３】  このようなタッチパネル付き表示装置を備える電子機器において、表示装置とタッチパネルとの間を、光学的接着剤あるいは光学的接着剤シートによって貼着する技術が知られている。例えば特許文献１には、このような用途に適した接着剤組成物ならびに接着剤シートが開示されており、これらは、適度な弾性ないし緩衝性を有するものであって、タッチパネル付き表示装置としての良好な表示性を与え、かつ、透明性、接着性、耐久性に優れた接着層を形成し得るものである、としている。【０００４】  他方、青色光が人体の網膜に対して悪い影響を来たすことが知られている。このことに関して、例えば特許文献２には、眼内レンズ（ＩＯＬＳ）やコンタクトレンズなどの眼科用装置において、ポリマー性オレンジ染料を含めることによって、紫外線、紫色光、青色光のフィルタリングを最適化することが提案されており、そのオレンジ染料の詳細について具体的に開示されている。【０００５】  ところで、先に例示したような電子機器において、表示装置として用いられる液晶ディスプレイの多くは、液晶表示パネルの後面側から前面側へ向けて光を照射するバックライトを備えるものである。昨今の表示装置では、そのバックライトの光源として、白色発光ダイオード（白色ＬＥＤ）が広く用いられている。白色発光ダイオードは、一般に、青色発光ダイオードの素子上に蛍光体を設けることで白色の発光を得る構造となっており、このため、白色発光ダイオードの発光スペクトルには、青色光に属する発光波長成分が比較的多く含まれていることが知られている。【０００６】  先に例示したような電子機器の多くは、白色発光ダイオードの光に含まれる青色光を減衰させるための構成を有していない。このため、白色発光ダイオードを用いた表示装置を備える電子機器から発せられる青色光がユーザの網膜に悪影響を与える可能性が指摘されている。このことに対して、例えば特許文献３には、ユーザの網膜が黄斑変性にかかることを回避するために、コンピュータ用ディスプレイやテレビ画面の前面に配置される保護カバーを、紫色光および青色光を遮断するための遮光剤１００とアクリル板２００とによって構成する技術が開示されている。（本願、図３参照。）
【先行技術文献】
【特許文献】
【０００７】
【特許文献１】特開平１１−１８１３８５
【特許文献２】特表２００９−５２８０７６
【特許文献３】実用新案登録第３１８０２８７号
【発明の概要】
【発明が解決しようとする課題】
【０００８】  特許文献３に開示されているような保護カバーは、タッチパネルを伴わない、単に視認するだけのコンピュータ用ディスプレイやテレビ画面などの表示装置の前面に配置する場合には、大きな問題は生じないと考えられる。しかしながら、先に例示したようなタッチパネル付き表示装置の前面にこのような保護カバーを配置した場合は、タッチパネルへの入力操作に対する影響が不可避である。タッチパネルの方式にもよるが、最悪の場合、タッチパネルの前面に保護カバーが存在すると、タッチパネルの操作が一切できなくなってしまうことも想定される。【０００９】  また、例えばスマートフォンやタブレット端末などのような可搬型の電子機器の場合には、タッチパネルの前面にこのような保護カバーを配置した場合、これらの電子機器を持ち運んだり、使用したりすることに伴って、保護カバーが外れたり、剥がれたりすることが想定され、ユーザの網膜を青色光から保護するという目的を十分に果たせない状態に陥る懸念がある。【００１０】  本発明は、これらのことを鑑みてなされたものであって、タッチパネルへの入力操作に何ら影響を与えないと同時に、青色光を減衰させるための部位が外れたり剥がれたりすることがなく、かつ、既存の透明な（青色光を減衰させるため特段の構成を有していないような）タッチパネルを用いる場合であっても青色光の透過量を減衰させることで、青色光によるユーザの網膜への悪影響を回避することが可能なタッチパネル付き表示装置を得ることを目的とする。
【課題を解決するための手段】
【００１１】  前述の課題を解決するために、本発明による請求項１記載のタッチパネル付き表示装置は、白色発光ダイオードをバックライトの光源とする表示装置と、表示装置の表示部に対向して配置され、操作入力面に接触または近接する、一つまたは複数の操作体の位置を特定するためのタッチパネルとを積層してなるものにおいて、表示装置の表示部とタッチパネルとの間に、青色光の透過量を減衰させるための青色光減衰層を備え、この青色光減衰層が表示部を覆っていることを特徴とする。【００１２】  請求項１記載の発明によれば、タッチパネル付き表示装置において、表示装置の表示部とタッチパネルとの間に青色光減衰層を配置したため、タッチパネルの前面に青色光を減衰させるための保護カバーのようなものを配置する必要がない。したがって、青色光減衰層がタッチパネルへの入力操作に何ら影響を与えることがなく、また、いかなる使用状況においても、その構造上、青色光減衰層が外れたり、剥がれたりすることがない。さらに、タッチパネルとして、青色光を減衰させるため特段の構成を有していない既存の透明なタッチパネルを用いて、青色光を減衰させることのできるタッチパネル付き表示装置を構成することができる。【００１３】  本発明による請求項２記載のタッチパネル付き表示装置は、青色光減衰層が青色光の透過量を減衰させる特性を有する青色光減衰フィルムであることを特徴とする。【００１４】  請求項２記載の発明によれば、青色光減衰層を青色光減衰フィルムとしたことで、その取り扱いにおいて有利となる。具体的には、青色光減衰フィルムをロール状に巻き取った状態での運搬が可能となるため運搬性に優れ、また、表示部の大きさに応じて青色光減衰フィルムを任意の大きさにカットして使用することができるため、あらゆる大きさの表示部に対して柔軟に対応することができる、などの点で有利である。【００１５】  本発明による請求項３記載のタッチパネル付き表示装置は、青色光減衰層が青色光の透過量を減衰させる特性を有する青色光減衰光学接着層であって、この青色光減衰光学接着層によって、表示部とタッチパネルとを貼り合わせて積層してなることを特徴とする。【００１６】  請求項３記載の発明によれば、表示部とタッチパネルとの間を青色光減衰光学接着層によって貼り合わせたことで双方間の固着強度が高まるため、タッチパネル付き表示装置としての強度を改善することができる。また、無用な透過光の屈折が生じないことから、表示部の表示視認性を良好なものとすることができる。【００１７】  本発明による請求項４記載の電子機器は、前述した請求項１ないし請求項３の発明に係るタッチパネル付き表示装置を備えるものである。
【発明の効果】
【００１８】  本発明によれば、タッチパネルへの入力操作に何ら影響を与えないと同時に、青色光を減衰させるための部位が外れたり剥がれたりすることがなく、かつ、既存の透明なタッチパネルを用いる場合であっても、青色光によるユーザの網膜への悪影響を回避することが可能なタッチパネル付き表示装置を得ることができる。
【図面の簡単な説明】
【００１９】
【図１】本発明に係るタッチパネル付き表示装置の構造の例を示す図である。
【図２】本発明に係るタッチパネル付き表示装置の別の構造の例を示す図である。
【図３】従来の保護カバーを示す図である。
【発明を実施するための形態】
【００２０】  本発明の実施例に係るタッチパネル付き表示装置１０について、図１と図２を用いて説明する。なお、図１と図２は、本発明に係るタッチパネル付き表示装置を構成する各部位の位置関係を示すことを主眼としたものであり、同図における厚さ方向寸法は必ずしも実際の寸法に従ったものではなく、また、各部位の詳細を省略して示している場合があるので留意されたい。
【００２１】  図１は、本発明によるタッチパネル付き表示装置１０に係る第１の実施例を示した図であり、タッチパネル付き表示装置１０の要部の断面図である。本実施例に係るタッチパネル付き表示装置１０は、表示装置１とタッチパネル２とを積層させた状態で固定部材５によってこれらの間を固定して構成されているものであって、表示装置１とタッチパネル２との間に、青色光減衰層としての青色光減衰フィルム３を備えているものである。
【００２２】  表示装置１は、液晶ディスプレイであって、液晶表示パネル１１とバックライトをなす導光板１２とを積層して構成された公知のものである。液晶表示パネル１１は、中央寄りの範囲に表示部１１ａを有する。表示部１１ａは、外部から入力される所定の駆動信号に基づいて画像や情報が表示される範囲を指す。図１において、表示部１１ａを破線で示している。なお、表示部１１ａは、“表示エリア”や“アクティブエリア”などと称される場合もある。
【００２３】  導光板１２は、アクリルなどの無色透明な合成樹脂によって形成された板状体であり、平面視における外形は、液晶表示パネル１１とほぼ同じである。導光板１２の表面には、光源である白色発光ダイオード（図示しない）が発する光を表示部１１ａに対応する範囲内に均一に拡散させるためのパターンニングが施されている。これによって、導光板１２の前面が均一な輝度で面状に発光し、液晶表示パネル１１へ向けて面状に光を照射することで、表示装置１のバックライトとしての機能を果たす。
【００２４】  前述の通り、光源としての白色発光ダイオードの発光スペクトルには、青色光に属する概ね４００〜５００ｎｍの発光波長成分が比較的多く含まれている。したがって、導光板１２が液晶表示パネル１１へ向けて面状に照射する光にも、必然的に、青色光に属する発光波長成分が比較的多く含まれる。
【００２５】  タッチパネル２は、公知な静電容量方式タッチパネルである。図１ではその細部を省略して示している。タッチパネル２は、透明なガラス基材の面上に、複数の透明な導電性電極をＸ−Ｙマトリクス状に形成して構成されている。タッチパネル前面側（図１における上側）の操作入力面２ａに、例えば指などの操作体６が接触あるいは近接すると、この操作体６の影響によって、それぞれの導電性電極にて検出される静電容量が変化することに基づいて、操作体６のＸ−Ｙ方向に係る位置座標を特定することができるものである。タッチパネル２は、操作体６が一つだけの場合のみならず、複数の場合であっても、それぞれの位置座標を特定することができるものであり、これによって、いわゆるマルチタッチ操作が可能である。なお、本実施例ではタッチパネル２として静電容量方式タッチパネルを用いる例を示したが、タッチパネル２の方式はこれに限定されない。透明な板状を呈するタッチパネルであれば、例えば抵抗膜方式タッチパネルなど、他の公知な方式のタッチパネルであってよい。
【００２６】  青色光減衰フィルム３は、ポリエステル、ポリエチレン、アクリルなどの透明な合成樹脂によって形成されたフィルムであって、青色光を選択的に吸収して青色光を減衰させることができる染料や塗料を用いて、表示部１１ａの表示を視認する上で違和感がない程度に淡く着色されたものである。このような染料としては、前述の特許文献２に開示されているオレンジ染料を用い得る。青色光減衰フィルム３の平面視外形は、表示部１１ａの平面視寸法よりも大きいものであり、表示部１１ａの全範囲を覆っている。したがって、青色光減衰フィルム３は、表示部１１ａを介して前面側へ放たれるバックライトの光に含まれる青色光を余すことなく減衰させることができる。また、青色光減衰フィルム３の平面視外形は、表示装置１の平面視外形よりも小さい。したがって、青色光減衰フィルム３は、表示装置１とタッチパネル２とを対向させて配置した際に生じる空間に収まる。
【００２７】  なお、この例では、青色光を吸収して減衰させる染料や塗料を用いて青色光減衰フィルム３を構成する例を示したが、青色光を選択的に反射して青色光を減衰させるように青色光減衰フィルム３を構成してもよい。
【００２８】  固定部材５は、例えばエポキシ系の接着剤である。表示装置１の周縁部に塗布して硬化させることで、十分な強度をもって、表示装置１とタッチパネル２との間を固定することができるものである。
【００２９】  このタッチパネル付き表示装置１０の組み立て手順について、以下に示す。
（１）表示装置１の前面に表示部１１ａを覆うように青色光減衰フィルム３を載せる。
（２）平面視において所定の位置関係を保って、表示装置１（青色光減衰フィルム３が載      せられている状態）と、タッチパネル２とを重ね合わせる。
（３）表示装置１とタッチパネル２とを重ね合わせた状態で反転させて、固定部材５とし      ての接着剤を表示装置１の周縁部に塗布する。
（４）反転させたままの状態で、表示装置１をタッチパネル２の方向へ向けて軽く押圧し      ながら、固定部材５を硬化させる。
【００３０】  このようにタッチパネル付き表示装置１０を組み立てた結果、表示装置１とタッチパネル２との間に青色光減衰フィルム３が狭持された状態となる。図１においては、青色光減衰フィルム３と表示装置１の間、および、青色光減衰フィルム３とタッチパネル２との間に、若干の隙間があるように図示しているが、これは、後述する別の実施例との構成の相違を明らかにするために意図的にこのように表記したものであり、実際にはこの隙間はほぼゼロである。このように２つの平面の間に青色光減衰フィルム３を挟持することで、青色光減衰フィルム３に生じる撓みが抑えられ、表示装置１からタッチパネル２へと至る透過光の歪みが抑制されるので、表示部１１ａの視認性の点で好ましい。
【００３１】  なお、本実施例では、青色光減衰フィルム３を表示装置１とタッチパネル２との間に狭持して構成する例を示したが、従来の無色透明な光学接着剤を用いて、青色光減衰フィルム３を表示装置１の表示部１１ａ側の面、あるいは、タッチパネル２の裏面に接着して固定してもよい。このように、いずれかの平面上に青色光減衰フィルム３を接着して固定することで、青色光減衰フィルム３に生じるわずかな撓みがなくなり、前述の２つの平面間に青色光減衰フィルム３を挟持する場合と比較して撓みに起因する透過光の歪みがさらに抑制されるため、表示部１１ａの視認性の点でさらに好ましい。
【００３２】  また、本実施例では、固定部材５としてエポキシ系などの接着剤を用いる例を示したが、例えば、表示装置１とタッチパネル２の外形に沿ったそれぞれの収容部を有する枠状体を用いて双方を位置決め固定する態様であってもよい。このような場合の具体的な構造については、例えば、特開２０１１−１０７７６６に開示されているような構造が例示される。
【００３３】  図２は、本発明によるタッチパネル付き表示装置２０に係る第２の実施例を示した図であり、タッチパネル付き表示装置２０の要部の断面図である。本実施例に係るタッチパネル付き表示装置２０は、表示装置１とタッチパネル２とを、青色光減衰層としての青色光減衰光学接着剤４によって接着して構成したものである。
【００３４】  本実施例に係るタッチパネル付き表示装置２０と、前述の第１の実施例に係るタッチパネル付き表示装置１０とを対比すると、第１の実施例においては、表示装置１とタッチパネル２との間に青色光減衰フィルム３を挟持する構成としていた点に代えて、表示装置１とタッチパネル２との間を青色光減衰光学接着剤４で接着する構成とした点で異なる。表示装置１、および、タッチパネル２は、第１の実施例の場合と同一のものである。
【００３５】  青色光減衰光学接着剤４はアクリル系の光学接着剤であり、例えば、前述の特許文献１に開示されているような透明な光学接着剤に、青色光を減衰させることができる染料や塗料を含有させて、表示部１１ａの表示を視認する上で違和感がない程度に淡く着色されたものである。なお、このような染料としては、前述の特許文献２に開示されているオレンジ染料を用い得る。青色光減衰光学接着剤４は、塗布する時点では粘性のある液状を呈している。
【００３６】  このタッチパネル付き表示装置２０の組み立て手順について、以下に示す。
（１）表示装置１の前面に、液状の青色光減衰光学接着剤４を塗布する。
（２）平面視において所定の位置関係を保って、表示装置１とタッチパネル２とを重ね合      わせる。
（３）タッチパネル２を表示装置１の方向へ向けて軽く押圧し、青色光減衰光学接着剤４      を、表示装置１とタッチパネル２とが対向する範囲に行き渡らせた状態で、青色光      減衰光学接着剤４を硬化させる。
【００３７】  図示した実施例では、表示装置１とタッチパネル２とが対向する面の全面にわたって青色光減衰光学接着剤４を塗布して双方を貼り合わせているが、青色光減衰光学接着剤４を必ずしもこの範囲の全面に行き渡らせる必要はなく、少なくとも表示部１１ａを覆う範囲に行き渡っていれば、本発明の効果を十分に得ることができる。
【００３８】  なお、青色光減衰光学接着層について、本実施例では、塗布する時点で液状を呈する青色光減衰光学接着剤４を用いる例を示したが、このような態様には限定されない、例えば、予め、その両面に粘着性のあるフィルム状に成形された「青色光減衰光学接着フィルム」の態様をなすものであっても好適に応用することができる。このような青色光減衰光学接着フィルムを用いると、前述の例のように液状の青色光減衰光学接着剤４を用いる場合に比べて青色光減衰光学接着層の膜厚の管理が容易となる点で好ましい。
【産業上の利用可能性】
【００３９】  本発明は、スマートフォンやタブレット端末、あるいは、タッチパネル機能を備えるパーソナルコンピュータ用ディスプレイ装置など、表示装置の前面にタッチパネルを積層してなるタッチパネル付き表示装置を備える電子機器において、幅広く利用することが可能である。
【符号の説明】
【００４０】    １  表示装置
１１    液晶表示パネル
１１ａ  表示部
１２    導光板（バックライト）
２  タッチパネル
２ａ  操作入力面
３  青色光減衰フィルム（青色光減衰層）
４  青色光減衰光学接着剤（青色光減衰層）
５  固定部材
６  操作体
１０，２０  タッチパネル付き表示装置
【図１】
2014219647.tif 000003
【図２】
2014219647.tif 000004
【図３】
2014219647.tif 000005